(57)【要約】【課題】インターネットを利用したプレゼンテーションにおいて、発表者の操作によりプレゼンテーションを遠隔制御するのは難しい。【解決手段】プレゼンテーション実行部１６は、ドキュメント記憶部２４に格納されたドキュメントを読み取り、スライド形式でプレゼンテーションを実行する。操作入力部１４は発表者からプレゼンテーションを操作するコマンドの入力を受けつける。プレゼンテーション実行部１６はこれらの操作コマンドをもとにプレゼンテーションを制御する。また制御ビット生成部１８はこれらの操作コマンドの各々を識別するための制御ビットを生成する。音声入力部１２は発表者の音声を入力する。透かし埋め込み部２０は、音声入力部１２が取得した音声データに、制御ビット生成部１８が生成した操作コマンドを識別する制御ビットを電子透かしとして埋め込む。制御ビット付き音声データ２１は、通信部２２により復号装置３０に配信される。【選択図】　　　　図２
2004112522.tif 000002
【特許請求の範囲】
【請求項１】
遠隔制御信号を電子透かしとしてメディアデータに埋め込み、前記電子透かしが埋め込まれた前記メディアデータを送信し、前記メディアデータの受信側で前記電子透かしを抽出して、前記メディアデータの再生と同期した遠隔操作を実行することを特徴とする遠隔制御方法。
【請求項２】
プレゼンテーションを遠隔制御する信号をプレゼンテーションにおいて利用されるメディアストリームに電子透かしとして埋め込み、前記電子透かしが埋め込まれた前記メディアストリームを送信し、前記メディアストリームの受信側で前記電子透かしを抽出して、前記メディアストリームの再生と同期して前記プレゼンテーションの遠隔操作を実行することを特徴とする遠隔制御方法。
【請求項３】
プレゼンテーションの操作コマンドを識別する制御データを生成する生成部と、
前記制御データを前記プレゼンテーションで利用されるメディアデータに電子透かしとして埋め込む埋め込み部と、
前記電子透かしが埋め込まれた前記メディアデータを送信する送信部とを含むことを特徴とする符号化装置。
【請求項４】
前記埋め込み部は、前記制御データを前記プレゼンテーションで利用されるビデオデータに電子透かしとして埋め込み、当該装置は、前記プレゼンテーションで利用されるオーディオデータを、電子透かしが埋め込まれた前記ビデオデータに多重化する多重化部をさらに含むことを特徴とする請求項３に記載の符号化装置。
【請求項５】
前記埋め込み部は、前記プレゼンテーションのためのドキュメントデータも前記ビデオデータに電子透かしとして埋め込むことを特徴とする請求項４に記載の符号化装置。
【請求項６】
前記埋め込み部は、前記制御データを前記プレゼンテーションで利用されるオーディオデータに電子透かしとして埋め込み、前記プレゼンテーションのためのドキュメントデータを前記ビデオデータに電子透かしとして埋め込み、当該装置は、電子透かしが埋め込まれた前記オーディオデータと前記ビデオデータを多重化する多重化部をさらに含むことを特徴とする請求項３に記載の符号化装置。
【請求項７】
電子透かしが埋め込まれたメディアデータを受信する受信部と、
前記メディアデータから電子透かしを抽出し、前記電子透かしに含まれる制御データを取得する抽出部と、
前記制御データを復号してプレゼンテーションの操作コマンドを得る復号部と、
前記操作コマンドにもとづいて前記プレゼンテーションを実行する実行部と、
前記プレゼンテーションの実行に合わせて前記メディアデータを再生して出力する出力部とを含むことを特徴とする復号装置。
【請求項８】
前記受信部により受信された前記メディアデータからオーディオデータとビデオデータを分離する分離部をさらに含み、前記抽出部は、前記ビデオデータから電子透かしを抽出して、前記制御データを取得することを特徴とする請求項７に記載の復号装置。
【請求項９】
前記抽出部は、前記ビデオデータから抽出した電子透かしから、前記プレゼンテーションのためのドキュメントデータも取得することを特徴とする請求項８に記載の復号装置。
【請求項１０】
前記受信部により受信された前記メディアデータからオーディオデータとビデオデータを分離する分離部をさらに含み、前記抽出部は、前記オーディオデータから電子透かしを抽出して、その電子透かしに含まれる前記識別データを取得し、前記ビデオデータから電子透かしを抽出して、その電子透かしに含まれる前記プレゼンテーションのためのドキュメントデータを取得することを特徴とする請求項７に記載の復号装置。
【請求項１１】
遠隔制御コマンドを送受信する符号化装置と復号装置を含む遠隔制御システムであって、
前記符号化装置は、
遠隔制御コマンドを電子透かしとしてメディアデータに埋め込む埋め込み部と、
前記電子透かしが埋め込まれた前記メディアデータを送信する送信部とを含み、
前記復号装置は、
電子透かしが埋め込まれた前記メディアデータを受信する受信部と、
前記メディアデータから電子透かしを抽出し、前記電子透かしに含まれる操作コマンドを取得する抽出部と、
前記操作コマンドにもとづいて遠隔操作を実行する実行部と、
前記実行に合わせて前記メディアデータを再生して出力する出力部とを含むことを特徴とする遠隔制御システム。
【発明の詳細な説明】
【０００１】
【発明の属する技術分野】
この発明は、遠隔制御技術に関し、特にネットワークを利用したプレゼンテーションなどのソフトウエアの遠隔制御方法と、その方法を利用可能な符号化装置、復号装置および遠隔制御システムに関する。
【０００２】
【従来の技術】
会議や学会において携帯型のパーソナルコンピュータとプロジェクタを用いてプレゼンテーションが行われることが多い。パーソナルコンピュータにおいてプレゼンテーション資料をスライド形式で表示するソフトウエアを利用することができるため、グラフィックスやアニメーションなどを用いて、プレゼンテーションの効果を高めることができる。
【０００３】
一方、テレビ会議システムを利用して遠隔地間で会議が行われることもある。テレビ会議システムでは、プレゼンテーション資料を表示するとともに、会議の出席者や発表者の映像を映し出すことができる。
【０００４】
また、最近では、ブロードバンドネットワークの利用の広がりに伴い、インターネットの音声や映像のストリーム配信技術を利用して、会議の様子を中継することも盛んに行われるようになってきた。
【０００５】
従来のテレビ会議システムには、発表者側端末から画面制御コマンドを送り、聴衆側端末に表示されるプレゼンテーション資料などを遠隔操作することのできるものがある（たとえば、特許文献１および特許文献２参照）。
【０００６】
【特許文献１】
特開２０００−１８４３４６号公報　（全文、第１−１３図）
【特許文献２】
特開２０００−３４１６５９号公報　（全文、第１−９図）
【０００７】
【発明が解決しようとする課題】
従来のテレビ会議システムでは、制御データを音声や映像のパケットデータのヘッダとして扱い、制御信号が発生しなくても定期的にヘッダを付加するため、制御データの送信のために伝送コストがかかる。プレゼンテーションを操作するための制御信号は周期的に発生するものではないため、このようなヘッダに制御信号を付加する形式では、無駄が生じる。
【０００８】
本発明はこうした状況に鑑みてなされたもので、その目的は、伝送効率の良い遠隔制御技術の提供にある。また別の目的は、ユーザの意図した通りにプレゼンテーションなどのソフトウエアを遠隔操作することのできる遠隔制御技術の提供にある。
【０００９】
【課題を解決するための手段】
本発明のある態様は遠隔制御方法に関する。この方法は、遠隔制御信号を電子透かしとしてメディアデータに埋め込み、前記電子透かしが埋め込まれた前記メディアデータを送信し、前記メディアデータの受信側で前記電子透かしを抽出して、前記メディアデータの再生と同期した遠隔操作を実行する。ここでメディアデータとは、たとえば、音声や音楽などのオーディオデータ、写真や静止画などのイメージデータ、および映像や動画などのビデオデータである。
【００１０】
本発明の別の態様も遠隔制御方法に関する。この方法も、プレゼンテーションを遠隔制御する信号をプレゼンテーションにおいて利用されるメディアストリームに電子透かしとして埋め込み、前記電子透かしが埋め込まれた前記メディアストリームを送信し、前記メディアストリームの受信側で前記電子透かしを抽出して、前記メディアストリームの再生と同期して前記プレゼンテーションの遠隔操作を実行する。メディアストリームとは、リアルタイムでストリーム配信されるオーディオやビデオなどのデータである。
【００１１】
本発明のさらに別の態様は符号化装置に関する。この装置は、プレゼンテーションの操作コマンドを識別する制御データを生成する生成部と、前記制御データを前記プレゼンテーションで利用されるメディアデータに電子透かしとして埋め込む埋め込み部と、前記電子透かしが埋め込まれた前記メディアデータを送信する送信部とを含む。この装置には、プレゼンテーションで利用されるオーディオとビデオのデータを多重化する多重化部がさらに含まれてもよく、ビデオデータまたはオーディオデータに制御データが電子透かしとして埋め込まれてもよい。この装置は、プレゼンテーションに代えて、任意のソフトウエアを遠隔操作するために用いられてもよい。
【００１２】
本発明のさらに別の態様は復号装置に関する。この装置は、電子透かしが埋め込まれたメディアデータを受信する受信部と、前記メディアデータから電子透かしを抽出し、前記電子透かしに含まれる制御データを取得する抽出部と、前記制御データを復号してプレゼンテーションの操作コマンドを得る復号部と、前記操作コマンドにもとづいて前記プレゼンテーションを実行する実行部と、前記プレゼンテーションの実行に合わせて前記メディアデータを再生して出力する出力部とを含む。この装置には、前記受信部により受信された前記メディアデータからオーディオデータとビデオデータを分離する分離部がさらに含まれてもよく、前記制御データはビデオデータまたはオーディオデータから電子透かしを抽出してもよい。この装置は、プレゼンテーションに代えて、任意のソフトウエアを実行するために用いられてもよい。
【００１３】
本発明のさらに別の態様は遠隔制御システムに関する。このシステムには、遠隔制御コマンドを送受信する符号化装置と復号装置が含まれる。前記符号化装置は、遠隔制御コマンドを電子透かしとしてメディアデータに埋め込む埋め込み部と、前記電子透かしが埋め込まれた前記メディアデータを送信する送信部とを含む。前記復号装置は、電子透かしが埋め込まれた前記メディアデータを受信する受信部と、前記メディアデータから電子透かしを抽出し、前記電子透かしに含まれる操作コマンドを取得する抽出部と、前記操作コマンドにもとづいて遠隔操作を実行する実行部と、前記実行に合わせて前記メディアデータを再生して出力する出力部とを含む。
【００１４】
本発明のさらに別の態様はコンピュータプログラムに関する。このプログラムは、電子透かしが埋め込まれたメディアデータを受信する工程と、前記メディアデータから電子透かしを抽出し、前記電子透かしに含まれる制御データを取得する工程と、前記制御データを復号してプレゼンテーションの操作コマンドを得る工程と、前記操作コマンドにもとづいて前記プレゼンテーションを実行する工程と、前記プレゼンテーションの実行に合わせて前記メディアデータを再生する工程とをコンピュータに実行させる。
【００１５】
なお、以上の構成要素の任意の組み合わせ、本発明の表現を方法、装置、システム、記録媒体、コンピュータプログラムなどの間で変換したものもまた、本発明の態様として有効である。
【００１６】
【発明の実施の形態】
実施の形態１
図１は、実施の形態１に係る遠隔プレゼンテーションシステムの構成を示す。符号化装置１０は、発表者がプレゼンテーションを行うために利用する装置であり、発表者の音声の入力とプレゼンテーションの操作を受けつけ、ドキュメントを利用したプレゼンテーションを実行して、表示装置などに出力する。また符号化装置１０はプレゼンテーションの操作コマンドを音声データに電子透かしとして埋め込んで、インターネット５０を介して遠隔地にある復号装置３０に送信する。復号装置３０は、発表者の音声データを受信して再生するとともに、音声データに電子透かしとして埋め込まれた操作コマンドをもとにドキュメントを利用したプレゼンテーションを制御しながら、プレゼンテーションを実行して、表示装置などに出力する。
【００１７】
図２は、符号化装置１０の機能構成図であり、図３は、復号装置３０の機能構成図である。これらの構成は、ハードウエア的には、任意のコンピュータのＣＰＵ、メモリ、その他のＬＳＩで実現でき、ソフトウエア的にはメモリにロードされた電子透かし埋め込み機能のあるプログラムなどによって実現されるが、ここではそれらの連携によって実現される機能ブロックを描いている。したがって、これらの機能ブロックがハードウエアのみ、ソフトウエアのみ、またはそれらの組み合わせによっていろいろな形で実現できることは、当業者には理解されるところである。
【００１８】
図２を参照して、符号化装置１０の構成を説明する。プレゼンテーション実行部１６は、ドキュメント記憶部２４に格納されたプレゼンテーション用に作成されたドキュメントを読み取り、たとえばスライド形式でプレゼンテーションを実行する。プレゼンテーション実行部１６は、通常、コンピュータのメモリにロードされたプレゼンテーションソフトウエアによって実現される。
【００１９】
操作入力部１４は発表者からプレゼンテーションを操作するコマンドの入力を受けつける。たとえば発表者は、キーボードやマウスなどの入力手段によって、スライド形式のプレゼンテーションの資料のページを次に進めたり、画面の一部をクリックしてアニメーションなどを実行したり、画面のカーソルを移動して注目箇所を指し示したりする。
【００２０】
プレゼンテーション実行部１６は操作入力部１４に入力されたこれらの操作コマンドをもとにプレゼンテーションを制御する。また制御ビット生成部１８は操作入力部１４に入力されたこれらの操作コマンドの各々を識別するための制御ビットを生成する。ｎ種類の操作が存在するとき、それらを識別する制御データはｌｏｇ２ｎビットになる。
【００２１】
音声入力部１２は発表者がプレゼンテーションをしながら話すときの音声をマイクなどを通して入力する。透かし埋め込み部２０は、音声入力部１２が取得した音声データに、制御ビット生成部１８が生成した操作コマンドを識別する制御ビットを電子透かしとして埋め込む。
【００２２】
透かし埋め込み部２０から制御ビット付き音声データ２１が出力され、そのデータは通信部２２によりインターネット５０を介して復号装置３０に送信される。たとえばＩＰ（Ｉｎｔｅｒｎｅｔ　Ｐｒｏｔｏｃｏｌ）を用いて音声をストリーム配信する技術が用いられる。
【００２３】
図３を参照して、復号装置３０の構成を説明する。通信部３２は、符号化装置１０からストリーム配信された音声データを受信する。この音声データには符号化装置１０により操作コマンドを識別する制御ビットが電子透かしとして埋め込まれている。
【００２４】
音声出力部３４は通信部３２が受信した制御ビット付き音声データ３３をアナログ信号に変換してスピーカーから出力する。
【００２５】
透かし抽出部３６は通信部３２から制御ビット付き音声データ３３を受け取り、透かしとして埋め込まれた制御ビットを抽出する。制御ビット復号部３８は抽出された制御ビットを復号して操作コマンド３９を取得し、プレゼンテーション実行部４０に供給する。
【００２６】
プレゼンテーション実行部４０は、ドキュメント記憶部４２に記憶されたプレゼンテーション用のドキュメントを読み込み、制御ビット復号部３８から与えられた操作コマンド３９によりプレゼンテーションを制御して、操作付きプレゼンテーションを実行する。操作コマンド３９は発表者の音声に埋め込まれているため、発表者の音声の再生と同期してプレゼンテーションが制御される。ドキュメント記憶部４２には発表者から与えられたドキュメントがあらかじめ記憶されているが、このドキュメントはインターネット５０を介して符号化装置１０から受信してもよい。
【００２７】
以上の構成の符号化装置１０および復号装置３０による遠隔プレゼンテーションの動作を説明する。図４は、符号化装置１０によるプレゼンテーションの遠隔操作手順を説明するフローチャートである。
【００２８】
操作入力部１４はプレゼンテーションを操作するコマンドの入力を待つ（Ｓ１０）。操作コマンドが入力されると（Ｓ１０のＹ）、制御ビット生成部１８は操作コマンドを識別する制御ビットを生成する（Ｓ１２）。透かし埋め込み部２０は、メディアデータ、ここでは音声データに制御ビットを透かしとして埋め込む（Ｓ１４）。透かしの埋め込まれたメディアストリームが通信部２２により復号装置３０に送信される（Ｓ１６）。操作コマンドが入力されない場合（Ｓ１０のＮ）、透かしが埋め込まれることなく、メディアストリームが送信される。
【００２９】
プレゼンテーションが終了した場合（Ｓ１８のＹ）、手続きは終了する。プレゼンテーションが終了しない場合（Ｓ１８のＮ）、ステップＳ１０に戻り、操作コマンドの検出とメディアストリームの送信が繰り返される。
【００３０】
図５は、復号装置３０によりプレゼンテーションの遠隔操作が実行される手順を説明するフローチャートである。通信部３２は、符号化装置１０からメディアストリームを受信する（Ｓ２０）。透かし抽出部３６は、メディアストリームから透かしデータを抽出する（Ｓ２２）。制御ビット復号部３８は抽出された透かしデータに含まれる制御ビットを復号して操作コマンドを検出する（Ｓ２４）。操作コマンドが検出された場合（Ｓ２４のＹ）、プレゼンテーション実行部４０が操作コマンドに基づいてプレゼンテーションを制御する（Ｓ２６）。たとえば、ドキュメントのページが先に進められたり、カーソルのポイント箇所が移動したりする。操作コマンドが検出されない場合（Ｓ２４のＮ）、プレゼンテーションは制御されない。すなわちドキュメントの表示状態やカーソルの位置などは変更されない。
【００３１】
プレゼンテーションが終了した場合（Ｓ２８のＹ）、手続きは終了し、そうでない場合（Ｓ２８のＮ）、ステップＳ２０に戻り、メディアストリームの受信と操作コマンドの検出が繰り返し行われる。
【００３２】
以上述べたように、実施の形態によれば、発表者が行った操作がメディアストリームに埋め込まれて聴衆側に送信される。聴衆側ではメディアストリームの再生に同期して発表者の操作内容が実行される。したがって、発表者が行った操作が自動的にリアルタイムで聴衆側のプレゼンテーションに反映するため、あたかも発表者のプレゼンテーションをその場で見ているかのような効果がもたらされる。また発表者側の装置と聴衆側の装置で、プレゼンテーションの制御が同期するため、発表者は自分の意図した通りのプレゼンテーションを聴衆に提供することができる。
【００３３】
実施の形態２
図６は実施の形態２に係る符号化装置１０の機能構成図である。本実施の形態では、操作コマンドを識別する制御データが映像データに埋め込まれる。実施の形態１と共通する構成と動作については説明を省き、実施の形態１とは異なる構成と動作について説明する。
【００３４】
映像入力部１３は発表者がプレゼンテーションをする際の様子をカメラで撮影した映像を入力する。透かし埋め込み部２０は制御ビット生成部１８により生成された操作コマンドを識別する制御ビットを映像データに埋め込む。制御ビット付き映像データ２３はマルチプレクサ２６に与えられ、音声入力部１２により入力された音声データと多重化される。通信部２２は多重化された映像データと音声データを復号装置３０にストリーム配信する。
【００３５】
図７は実施の形態２に係る復号装置３０の機能構成図である。通信部３２は符号化装置１０から映像と音声が多重化されたデータを受信し、デマルチプレクサ４４は受信されたデータを映像と音声に分離する。音声出力部３４が音声データ３７ａをアナログ信号に変換してスピーカーに出力する一方、映像出力部３５は制御ビット付き映像データ３７ｂをモニタなどに出力する。
【００３６】
透かし抽出部３６は制御ビット付き映像データ３７ｂから透かしデータを抽出し、制御ビット復号部３８は透かしデータに含まれる制御ビットから操作コマンド３９を取得する。
【００３７】
本実施の形態では、操作コマンドを映像データに電子透かしとして埋め込むため、音声データに埋め込む場合に比べて、より多くの情報を埋め込むことができる。電子透かしはデータ隠蔽の技術として利用されており、操作コマンドのデータは映像データの品質に大きな影響を与えることなく埋め込まれ、聴衆が透かしの埋め込まれた映像データを見ても、透かしが埋め込まれていることに気がつかない。また音声に比べて、映像の場合、ユーザは品質の劣化に対してより寛容であるため、透かしデータを埋め込み易い。また映像は途切れることなく常時配信されるデータであるため、任意のタイミングで透かしデータを埋め込んで操作コマンドを送信することができる。
【００３８】
実施の形態３
図８は実施の形態３に係る符号化装置１０の機能構成図である。本実施の形態では、操作コマンドを識別する制御ビットを音声データに電子透かしとして埋め込み、プレゼンテーションに使用するドキュメントを映像データに電子透かしとして埋め込む。
【００３９】
音声側の透かし埋め込み部２０ａは、音声入力部１２が入力する音声データに制御ビット生成部１８が生成する制御ビットを透かしとして埋め込む。映像側の透かし埋め込み部２０ｂは、映像入力部１３が入力する映像データにドキュメント記憶部２４から読み出されたドキュメントデータ２７を透かしとして埋め込む。マルチプレクサ２６は、制御ビット付き音声データ２５ａとドキュメントデータ付き音声データ２５ｂを多重化し、通信部２２は多重化されたデータを復号装置３０に送信する。
【００４０】
図９は実施の形態３に係る復号装置３０の機能構成図である。デマルチプレクサ４４は通信部３２が受信した多重化されたデータを制御ビット付き音声データ３７ａとドキュメントデータ付き映像データ３７ｂに分離する。
【００４１】
音声側の透かし抽出部３６ａは、制御ビット付き音声データ３７ａから透かしデータを抽出し、制御ビット復号部３８は、透かしデータに含まれる制御ビットを復号して操作コマンド３９を取得する。
【００４２】
映像側の透かし抽出部３６ｂは、ドキュメントデータ付き映像データ３７ｂから透かしデータを抽出し、ドキュメントデータ４１を得て、ドキュメント記憶部４２に格納する。ドキュメント記憶部２４は、通常、ハードディスクなどの記憶装置によって実現されるが、これはドキュメントデータ４１を保持できるほど十分な容量をもったＲＡＭなどのメモリであってもよい。
【００４３】
本実施の形態では、プレゼンテーションのためのドキュメントを映像データに透かしとして埋め込み、聴衆側に送信することができ、ドキュメントだけ別に前もって送信しておく必要がなくなる。映像データは音声データに比べて容量が大きいため、ドキュメントのようなデータサイズが大きいものでも容易に透かしとして埋め込むことが可能である。
【００４４】
実施の形態４
図１０は実施の形態４に係る符号化装置１０の機能構成図である。本実施の形態では、映像データに操作コマンドを識別する制御ビットとドキュメントデータの両方を電子透かしとして埋め込む。透かし埋め込み部２０は、制御ビット生成部１８が生成する制御ビットとドキュメント記憶部２４に格納されたドキュメントデータ２７を映像入力部１３が入力する映像データに透かしとして埋め込む。マルチプレクサ２６は音声入力部１２が入力する音声データと制御ビット付き映像データ２３を多重化する。
【００４５】
図１１は実施の形態４に係る復号装置３０の機能構成図である。デマルチプレクサ４４は通信部３２が受信する多重化されたデータを音声データ３７ａと、制御ビットおよびドキュメントデータ付き映像データ３７ｂとに分離する。透かし抽出部３６は、制御ビットおよびドキュメントデータ付き映像データ３７ｂから透かしデータを抽出して、透かしデータから得られた制御ビットを制御ビット復号部３８に与え、透かしデータから得られたドキュメントデータ４１をドキュメント記憶部４２に格納する。ドキュメント記憶部２４は、通常、ハードディスクなどの記憶装置によって実現されるが、これはドキュメントデータ４１を保持できるほど十分な容量をもったＲＡＭなどのメモリであってもよい。
【００４６】
以上、本発明を実施の形態をもとに説明した。これらの実施の形態は例示であり、それらの各構成要素や各処理プロセスの組み合わせにいろいろな変形例が可能なこと、またそうした変形例も本発明の範囲にあることは当業者に理解されるところである。
【００４７】
そのような変形例として、上記の説明ではプレゼンテーションを例に遠隔制御技術を説明したが、本発明はプレゼンテーションに限らず、音声や映像のストリーム配信を用いる任意のアプリケーションに利用することができる。たとえば音声や映像を用いた電子会議にも適用できる。また映像データを送受信しながら遠隔地にあるロボットなどの機械を操作する遠隔機械制御や、映像通信を用いて患者の診察などを行う遠隔医療サービスなどにも利用できる。
【００４８】
【発明の効果】
本発明によれば、メディアストリームを利用して効率的な遠隔制御ができる。
【図面の簡単な説明】
【図１】実施の形態１に係る遠隔プレゼンテーションシステムの構成図である。
【図２】図１の符号化装置の機能構成図である。
【図３】図１の復号装置の機能構成図である。
【図４】図１の符号化装置によるプレゼンテーションの遠隔操作手順を説明するフローチャートである。
【図５】図１の復号装置による、遠隔操作されたプレゼンテーションの実行手順を説明するフローチャートである。
【図６】実施の形態２に係る符号化装置の機能構成図である。
【図７】実施の形態２に係る復号装置の機能構成図である。
【図８】実施の形態３に係る符号化装置の機能構成図である。
【図９】実施の形態３に係る復号装置の機能構成図である。
【図１０】実施の形態４に係る符号化装置の機能構成図である。
【図１１】実施の形態４に係る復号装置の機能構成図である。
【符号の説明】
１０　符号化装置、　１２　音声入力部、　１３　映像入力部、　１４　操作入力部、　１６　プレゼンテーション実行部、　１８　制御ビット生成部、　２０　透かし埋め込み部、　２２　通信部、　２４　ドキュメント記憶部、　２６マルチプレクサ、　３０　復号装置、　３２　通信部、　３４　音声出力部、３５　映像出力部、　３６　透かし抽出部、　３８　制御ビット復号部、　４０　プレゼンテーション実行部、　４２　ドキュメント記憶部、　４４　デマルチプレクサ、　５０　インターネット。
【図１】
2004112522.tif 000003
【図２】
2004112522.tif 000004
【図３】
2004112522.tif 000005
【図４】
2004112522.tif 000006
【図５】
2004112522.tif 000007
【図６】
2004112522.tif 000008
【図７】
2004112522.tif 000009
【図８】
2004112522.tif 000010
【図９】
2004112522.tif 000011
【図１０】
2004112522.tif 000012
【図１１】
2004112522.tif 000013